(57)【要約】  本発明は、静的ディスプレイと、この静的ディスプレイの製造工程とを提供する。本静的ディスプレイは、断片の形において波形薄板上に適合された２つまたは３つの歪められた画像を備えており、これらの画像は、本発明のディスプレイを所定の角度において見たときには波形部の空間が見えないために生み出される視覚的な錯覚の理由で、その所定の角度においては１つまたは２つの画像のみが一度にはっきりと見えるように、波形薄板上に適合されている。【選択図】  図１
2020528579.tif 000002
【特許請求の範囲】
【請求項１】
静的ディスプレイを製造する方法であって、
複数の波形部を有する波形薄板を設けるステップであって、前記複数の波形部が、相隔てられた対称的な頂点部および谷部と、前記頂点部および前記谷部の間の左側傾斜部および右側傾斜部とを有する、ステップと、
少なくとも２つの画像を選択し、各画像を少なくとも一方向に比例的に歪めるステップであって、各画像を歪める前記ステップが、水平方向および／または垂直方向における、各画像の圧縮もしくは伸長のいずれか、または両方を含む、ステップと、
歪められた各画像を、所定の幅を有する一連の複数の垂直断片に順次分割するステップと、
第１の画像の前記垂直断片を、前記波形薄板の前記左側傾斜部に順にあてはめ、第２の画像の前記垂直断片を、前記波形薄板の前記右側傾斜部に順にあてはめるステップであって、これによって、前記静的ディスプレイの左側から所定の角度において、実質的な歪みなしに単独で見える、実質的に断片化されていない第１の画像と、前記静的ディスプレイの右側から所定の角度において、実質的な歪みなしに単独で見える、実質的に断片化されていない第２の画像と、を表示する静的ディスプレイ、を提供する、ステップと、
を含む、静的ディスプレイを製造する方法。
【請求項２】
静的ディスプレイを製造する方法であって、
少なくとも２つの画像を選択し、各画像を少なくとも一方向に比例的に歪めるステップであって、前記画像を歪めるステップが、水平方向および／または垂直方向における、各画像の圧縮もしくは伸長のいずれか、または両方を含む、ステップと、
歪められた各画像を、所定の幅を有する一連の複数の垂直断片に順次分割するステップと、
各画像の前記垂直断片を、順にかつ交互に、平らな薄板上に適合させるステップと、
前記垂直断片の結合線に頂点部と谷部が交互に形成されるように、前記平らな薄板の波形薄板を形成するステップであって、これによって、前記静的ディスプレイの左側から所定の角度において、実質的な歪みなしに単独で見える、実質的に断片化されていない第１の画像と、前記静的ディスプレイの右側から所定の角度において、実質的な歪みなしに単独で見える、実質的に断片化されていない第２の画像と、を表示する静的ディスプレイ、を提供する、ステップと、
を含む、静的ディスプレイを製造する方法。
【請求項３】
前記所定の角度が、鋭角である、請求項１または請求項２に記載の、静的ディスプレイを製造する方法。
【請求項４】
前記画像が、同じ画像または個別の画像を含む、請求項１から請求項３のいずれか１項に記載の、静的ディスプレイを製造する方法。
【請求項５】
前記画像の前記垂直断片の前記所定の幅が、前記波形薄板の前記波形部の前記頂点部と前記谷部の間に延びる前記傾斜部の幅に等しいかまたはそれより小さい、請求項１、３または４のいずれか１項に記載の、静的ディスプレイを製造する方法。
【請求項６】
前記静的ディスプレイ上に最大３つの画像を適合させることができ、前記静的ディスプレイの前側から任意の角度において見える第３の画像を適合させることができる、請求項１から請求項５のいずれか１項に記載の、静的ディスプレイを製造する方法。
【請求項７】
各画像が、１つまたは複数の絵、アート、写真、シンボル、標識、文字、広告などを含む、請求項１から請求項６のいずれか１項に記載の、静的ディスプレイを製造する方法。
【請求項８】
前記静的ディスプレイが、フォトフレーム、アートのための屋内または屋外ディスプレイ、屋内または屋外の広告ディスプレイ、標識ディスプレイ、または任意の他のディスプレイ、を含む、請求項１から請求項７のいずれか１項に記載の、静的ディスプレイを製造する方法。
【請求項９】
前記静的ディスプレイを、バックライト効果またはＬＥＤを有する、不透明なまたは透明な波形ディスプレイとすることができる、請求項１から請求項８のいずれか１項に記載の、静的ディスプレイを製造する方法。
【請求項１０】
静的ディスプレイであって、
複数の波形部を有する波形薄板であって、前記複数の波形部が、相隔てられた対称的な頂点部および谷部と、前記頂点部と前記谷部の間の左側傾斜部および右側傾斜部とを有する、前記波形薄板と、
所定の幅の複数の垂直断片に分割された少なくとも２つの歪められた画像であって、第１の画像の前記垂直断片が、前記波形薄板の前記左側傾斜部に順にあてはめられており、第２の画像の前記垂直断片が、前記波形薄板の前記右側傾斜部に順にあてはめられている、前記少なくも２つの歪められた画像と、
を備えており、
前記静的ディスプレイが、前記静的ディスプレイの左側から所定の角度において、実質的な歪みなしに単独で見える、実質的に断片化されていない第１の画像と、前記静的ディスプレイの右側から所定の角度において、実質的な歪みなしに単独で見える、実質的に断片化されていない第２の画像と、を表示する、
静的ディスプレイ。
【請求項１１】
歪められた各画像が、画像を少なくとも一方向に比例的に歪めることによって形成され、前記画像を歪めるステップが、前記波形薄板の水平方向および／または垂直方向における、各画像の圧縮もしくは伸長のいずれか、または両方を含む、請求項１０に記載の静的ディスプレイ。
【請求項１２】
前記所定の角度が、鋭角である、請求項１０または請求項１１に記載の静的ディスプレイ。
【請求項１３】
歪められた各画像が、１つまたは複数の絵、写真、シンボル、標識、文字などを含む、請求項１０から請求項１２のいずれか１項に記載の静的ディスプレイ。
【請求項１４】
前記静的ディスプレイが最大３つの画像を含み、第３の画像を、前記静的ディスプレイの前側から任意の角度において直接見えるようにすることができる、請求項１０から請求項１３のいずれか１項に記載の静的ディスプレイ。
【請求項１５】
前記静的ディスプレイが、フォトフレーム、アートのための屋内または屋外ディスプレイ掲示板、屋内または屋外の広告板、標識板、または任意の他のディスプレイを含む、請求項１０から請求項１４のいずれか１項に記載の静的ディスプレイ。
【請求項１６】
前記静的ディスプレイが、バックライト効果またはＬＥＤを有する、不透明なまたは透明な波形ディスプレイであり、道路に垂直に立てる、または壁に適合させることができる、請求項１０から請求項１５のいずれか１項に記載の静的ディスプレイ。
【発明の詳細な説明】
【技術分野】
【０００１】
本出願において特許請求される本発明は、静的ディスプレイの分野に関する。より詳細には、特許請求される本発明は、所定の角度においてはっきり見える１つのディスプレイ内に、１つまたは複数の同じかまたは異なる写真、アート、広告を表示するために使用することのできる静的ディスプレイと、本静的ディスプレイを製造する方法、に関する。
【背景技術】
【０００２】
ディスプレイは、今日の生活の不可欠な一部となっており、不可欠なコミュニケーション手段でもある。ディスプレイは、一般には、家、社会、会社の敷地、道路、モール、および車両に、アート、写真、方向、標識、およびシンボルを表示するために使用される。またディスプレイは、共通の場所における広告手段（モール内の屋内広告手段や、道路、歩道、歩道橋、車両などにおける屋外広告手段など）としても効果的に使用される。
【０００３】
今日、広告は、人々に情報を伝える重要な役割として機能している。広告のさまざまな手段が開発されてきた。したがってクライアントは、自社の広告情報を顧客に宣伝するために、より速いさまざまなメディアを探し求めている。優良なディスプレイエリアは、需要が最大である。アートや印刷広告のディスプレイでは、最も重要な要素はその「場所」である。あらゆる形態（すなわち印刷物、塗装物、看板、照明など）の１つのディスプレイは、一度に１つの広告を表示することができる。したがって、広告ディスプレイの場所は、最も重要な役割を果たし、優良な場所はつねに高価である。現在、静的ディスプレイは、見る人がしばらく止まって向かい合って立っているときに最もよく見ることができる。この方法によってのみ、静的ディスプレイをより長い時間にわたり、よく見ることができ、深く印象付けられて脳裏に焼き付けられる。人は、ほとんどの時間、歩いているか活動している。歩いているか活動している間に静的ディスプレイが脳裏に焼き付けられる時間は非常に短いため、静的ディスプレイの広告は、ほとんどの場合、その効果の点から重要性が低くなっている。
【０００４】
したがって、上述した問題点を解決する掲示板またはディスプレイの必要性が存在する。
【発明の概要】
【発明が解決しようとする課題】
【０００５】
したがって本発明は、そのさまざまな態様および実施形態を通じて、上述した問題点の少なくとも１つを解決するための手段を提供する。
【課題を解決するための手段】
【０００６】
第１の態様においては、本発明は、静的ディスプレイであって、複数の波形部（corrugation）を有する波形薄板（corrugated sheet）であって、複数の波形部が、相隔てられた対称的な頂点部および谷部と、頂点部と谷部の間の左側傾斜部および右側傾斜部とを有する、波形薄板と、所定の幅の複数の垂直断片に分割された少なくとも２つの歪められた画像であって、第１の画像の垂直断片が、波形薄板の左側傾斜部に順にあてはめられおり、第２の画像の垂直断片が、波形薄板の右側傾斜部に順にあてはめられている、少なくも２つの歪められた画像と、を備えている、静的ディスプレイ、を提供する。本発明の静的ディスプレイは、複数の異なる方法によって製造することができる。
【０００７】
第２の態様においては、本発明は、第１の態様の静的ディスプレイを製造する方法の１つを提供する。この態様によれば、本方法は、複数の波形部を有する波形薄板を設けるステップであって、複数の波形部が、相隔てられた対称的な頂点部および谷部と、頂点部および谷部の間の左側傾斜部および右側傾斜部とを有する、ステップと、少なくとも２つの画像を選択し、各画像を少なくとも一方向に比例的に（proportionally）歪めるステップと、歪められた各画像を、所定の幅を有する一連の複数の垂直断片に順次分割するステップと、第１の画像の垂直断片を、波形薄板の左側傾斜部に順にあてはめ、第２の画像の垂直断片を、波形薄板の右側傾斜部に順にあてはめるステップと、を含む。
【０００８】
第３の態様においては、本発明は、第１の態様の静的ディスプレイを製造する別の方法を提供する。この方法は、少なくとも２つの画像を選択し、各画像を少なくとも一方向に比例的に歪めるステップと、歪められた各画像を、所定の幅を有する一連の複数の垂直断片に順次分割するステップと、各画像の垂直断片を、順にかつ交互に、平らな薄板上に適合させるステップと、垂直断片の結合線に頂点部と谷部が交互に形成されるように、平らな薄板の波形薄板を形成するステップと、を含む。
【０００９】
本発明によれば、第２の態様の方法および第３の態様の方法によって製造される、第１の態様の静的ディスプレイは、静的ディスプレイの左側から所定の角度において、実質的な歪みなしに単独で見える、実質的に断片化されていない第１の画像と、静的ディスプレイの右側から所定の角度において、実質的な歪みなしに単独で見える、実質的に断片化されていない第２の画像と、を表示する。
【００１０】
本発明の一実施形態によれば、各画像を歪めるステップは、水平方向および／または垂直方向における、各画像の圧縮もしくは伸長のいずれか、または両方を含む。
【００１１】
本発明の一実施形態によれば、本静的ディスプレイは、最大３つの画像を備えることができ、この場合、静的ディスプレイの前側から任意の角度において見える第３の画像を静的ディスプレイ上に適合させることができる。
【００１２】
本発明によれば、所定の角度は、鋭角である。
【００１３】
本発明の一実施形態によれば、選択される第１の画像、第２の画像、および第３の画像は、同じ画像または個別の画像とすることができる。各画像は、１つまたは複数の絵、アート、広告、写真、シンボル（symbol）、標識、文字などを有利に備えていることができる。
【００１４】
本発明によれば、画像の垂直断片の所定の幅は、波形薄板の波形部の頂点部と谷部の間に延びる角度の付いた傾斜部の幅に等しいかまたはそれより小さい。
【００１５】
さらに、本発明によれば、本静的ディスプレイは、バックライト効果またはＬＥＤを有する、不透明なまたは透明な波形ディスプレイとすることができる。
【００１６】
本発明によれば、本静的ディスプレイは、フォトフレーム、アートのための屋内または屋外ディスプレイ、屋内または屋外の広告ディスプレイ、標識ディスプレイ、または任意の他のディスプレイ、を含むことができる。
【００１７】
以下では、本発明に係る静的ディスプレイの実施形態について、添付の図面を参照しながら一例として説明する。
【図面の簡単な説明】
【００１８】
【図１】図１（１Ａ〜１Ｃ）は、本発明に係る、さまざまな角度における、２つの画像を備えた静的ディスプレイの例示的な実施形態を示している。
【図２】図２（２Ａ〜２Ｃ）は、本発明に係る、さまざまな角度における、３つの画像を備えた静的ディスプレイの別の例示的な実施形態を示している。
【図３】図３（３Ａ〜３Ｄ）は比較を示している。３Ａは、選択された画像として、歪みのない「円」を示している。３Ｂは、選択された、歪められていない円を波形薄板上に適合させた状態を示している。３Ｃは、波形薄板上に適合させる前の、歪められている円を示している。３Ｄは、歪められている円を波形薄板上に適合させた状態の、本発明に係る静的ディスプレイを示している。
【発明を実施するための形態】
【００１９】
本発明は、一般的には、１つの所与のフレーム、ディスプレイ壁、ディスプレイウィンドウ、またはディスプレイ空間のいずれかの中に２つ以上の画像を有する静的ディスプレイを提供し、静的ディスプレイに対して所定の角度において１つの完全な画像がはっきりと見える。
【００２０】
本発明の一実施形態によれば、本静的ディスプレイは、少なくとも２つの画像を備えている。本発明の静的ディスプレイは、静的ディスプレイの左側から所定の角度において、実質的な歪みなしに単独ではっきりと見える、実質的に断片化されていない第１の画像と、静的ディスプレイの右側から所定の角度において、実質的な歪みなしに単独ではっきりと見える、実質的に断片化されていない第２の画像と、を表示することができる。別の実施形態においては、本静的ディスプレイは３つの画像を備えており、この場合、１つまたは２つの画像が、特定の角度において見る人に個別にはっきりと見え、第３の画像が、本静的ディスプレイの任意の角度において見えるようにすることができる。３つの画像のうちの少なくとも１つを、任意の角度において見えるようにすることが有利である。
【００２１】
本発明の一実施形態によれば、画像は、１つまたは複数の絵、写真、シンボル、標識、文字などを含むことができる。
【００２２】
本発明によれば、画像は、同じ画像または個別の画像とすることができる。
【００２３】
本発明は、複数の波形部を有する波形薄板であって、波形部が、頂点部および谷部と、頂点部と谷部の間の、両側の傾斜部とを有する、波形薄板と、各画像が特定の角度において一度に個別に見えるように波形薄板上に適合された少なくとも２つの画像と、を備えているディスプレイ、を提供する。
【００２４】
ディスプレイを製造するため、１つの方法においては、第１の画像を歪めて、複数の断片に分割し、この第１の画像の各断片を、波形薄板の波形部の各傾斜部の第１の面に順次あてはめる。波形部の第１の側の傾斜部における実質的に断片化されていない完全な第１の画像が、静的ディスプレイにおいて所定の角度で見たときに、実質的な歪みなしに明瞭に見え、かつ、波形部の第２の側の傾斜部における断片化されていない完全な第２の画像が、所定の角度で見たときに実質的な歪みなしに明瞭に見えるように、同様に第２の画像を歪めて、複数の断片に分割し、この第２の画像の各断片を、波形部の各傾斜部の第２の面に順次あてはめる。歪められた画像を、垂直断片に分割することが有利である。言い換えれば、歪められた画像は、波形薄板の波形部に平行な断片に分割される。
【００２５】
本発明によれば、画像の歪み、および画像の複数の断片の幅は、波形部の数と、波形部の傾斜部の幅とに依存する。
【００２６】
静的ディスプレイを製造する別の方法は、表示される少なくとも２つの画像を選択するステップと、これらの画像を歪めて、複数の垂直断片に分割するステップと、画像の断片を、順にかつ交互に、平らな薄板上に適合させるステップと、断片の結合部に波形部の頂点部および谷部が交互に形成されるように、平らな薄板を波形状にするステップと、を含む。
【００２７】
本発明によれば、歪められた各画像を所定の数の断片に分割するステップは、波形部の頂点部と谷部の間に延びる傾斜部の幅を測定し、画像の各断片が傾斜部の幅に実質的に等しいかまたはそれより小さいように各画像を分割するステップを含む。画像は垂直に分割されることが有利である。言い換えれば、画像は波形薄板の縦溝（ｆｌｕｔｅ）に平行に断片化される。
【００２８】
本発明によれば、波形薄板上の最終的な画像が実質的な歪みおよび断片化なしに完全な画像として見えるように、画像を、波形薄板内に収まるように少なくとも一方向に比例的に歪めることができる。画像を歪めるステップは、複数の断片に分割する前、または断片を形成する前に、波形薄板内に収める目的で水平方向および／または垂直方向に圧縮もしくは伸長するステップ、またはその両方、を含む。
【００２９】
本発明によれば、平らな薄板または波形薄板上に断片を適合させるステップは、波形状にされる可撓性の平らな薄板または波形薄板上に画像の断片を順に接着する、貼り付ける、または印刷するステップを含む。適合させるステップは、画像の断片を電子波形ディスプレイ（electronic corrugated display）上で点滅させる（flashing）ステップをさらに含む。
【００３０】
本発明によれば、各画像は、１つまたは複数の絵、アート、広告、写真、シンボル、標識、文字などを備えていることができる。
【００３１】
本発明によれば、静的ディスプレイは、フォトフレーム、アートのための屋内または屋外ディスプレイ、屋内または屋外の広告ディスプレイ、標識ディスプレイ、または任意の他のディスプレイ、を含むことができる。
【００３２】
一実施形態によれば、本静的ディスプレイは、本発明に従って画像を形成することのできる、バックライト効果またはＬＥＤを有する透明な波形ディスプレイとすることができる。
【００３３】
図１（１Ａ〜１Ｃ）は、異なる角度において個別に見ることのできる２つの画像を備えた本発明の静的ディスプレイ（１００）の例示的な実施形態を示している。
【００３４】
図１に示したように、静的ディスプレイ（１００）は、波形薄板（１２０）と、所定の角度において１つの画像のみがはっきりと見えるように波形薄板上に適合された２つの歪められた画像（１４０，１６０）と、を備えている。図１に示したように、一方の画像は馬の画像（１４０）であり、もう一方の画像は犬の画像（１６０）である。
【００３５】
静的ディスプレイ（１００）を、図１に示したように静的ディスプレイ（１００）の前側から見ると、（１人または複数の）見る人は２つの画像が互いに重なっているかまたは融合しているように感じ、したがって見る人の心には、２つの画像の間の矛盾と、好奇心を含む混乱とが生じる。
【００３６】
図１Ｂは、右手側に傾けられた、または右手側から見た静的ディスプレイ（１００）を示しており、この静的ディスプレイ（１００）は、視覚的な錯覚の理由で、歪みなしにかつ断片化なしに、馬の完全かつ明瞭な画像（１４０）のみを表示している。言い換えれば、見る人は、この掲示板を右手側から見るときには、あたかも馬の完全な画像（１４０）のみを見ているかのように感じる。
【００３７】
図１Ｃは、左手側に傾けられた、または左手側から見た静的ディスプレイ（１００）を示しており、この静的ディスプレイ（１００）は、犬の完全かつ明瞭な画像（１６０）のみを表示している。言い換えれば、見る人は、この掲示板を左手側から見るときには、視覚的な錯覚の理由で、歪みなしにかつ断片化なしに、あたかも犬の完全かつ明瞭な画像（１６０）のみを見ているかのように感じる。
【００３８】
図１に示した静的ディスプレイ（１００）は、馬の画像および犬の画像を歪めることによって形成される。画像を歪めるステップは、画像の圧縮もしくは伸長のいずれか、または両方を含む。画像を歪めるステップは、画像のタイプと、頂点部と谷部の間に延びる傾斜部の幅と、画像があてはめられる波形部の数とに依存する。本発明によれば、歪められた画像の断片があてはめられたときに歪みが無効になるように、画像を歪める。次に、馬の歪められた画像と犬の歪められた画像を、垂直断片に分割する（図示していない）。本出願において言及および特許請求されているように、一般的に、各垂直断片の幅は、波形薄板（１２０）の波形部の頂点部と谷部の間に延びる、波形部の傾斜部の幅に等しいかまたはそれより小さい。次に、垂直断片を波形薄板（１２０）上に貼り付ける／適合させる。図１に示したように、犬（１６０）の垂直断片を、波形薄板（１２０）の波形部の左手側の傾斜部に順に貼り付け、馬（１４０）の垂直帯状片を、波形薄板（１２０）の波形部の右手側の傾斜部に順に貼り付ける。本発明の別の方法によれば、犬の断片および馬の断片を平らな可撓性の薄板上に交互にあてはめる、または平らな可撓性の薄板に交互に印刷し、断片の結合部において波形状にして、本発明に係るディスプレイを形成することができる。
【００３９】
図２（２Ａ〜２Ｃ）を参照し、これらの図は、３つの画像を備えている本発明の例示的な実施形態を示している。
【００４０】
図２に示したように、静的ディスプレイ（２００）は、波形薄板（２２０）と、所定の角度において１つまたは２つの画像が明瞭に見えるように波形薄板（２２０）上に適合された３つの画像（２４０，２５０，２６０）と、を備えている。図２に示したように、第１の画像は、名前「Ｈｏｒｓｅ」を含む馬の画像（２６０）であり、第２の画像は、名前「Ｄｏｇ」を含む犬の画像（２４０）であり、第３の画像（２５０）は「ＨＯＲＳＥ  ＆  ＤＯＧ」である。
【００４１】
図２Ａは、前側から見た静的ディスプレイ（２００）を示しており、この静的ディスプレイ（２００）は、第３の画像（２５０）をはっきりと明瞭に表示している。さらに図２Ａは、互いに重なっている、または融合している２つの画像も示しており、これによって見る人の心には、２つの画像の間の矛盾と、好奇心を含む混乱とが生じる。
【００４２】
図２Ｂは、右手側に傾けられた、または右手側から見た静的ディスプレイ（２００）を示しており、この静的ディスプレイ（２００）は、断片化および歪みなしに、第２の画像（２４０）および第３の画像（２５０）のみを明瞭に表示している。言い換えれば、見る人は、この掲示板を右手側から見るときには、波形部によって生み出される視覚的な錯覚の理由で、歪んでおらずかつ断片化されていない実質的に完全な犬（名前を含む）の画像（２４０）および第３の画像（２５０）のみを、歪みおよび断片化なしに見ることができる。
【００４３】
図２Ｃは、左手側に傾けられた、または左手側から見たディスプレイ（２００）を示しており、このディスプレイ（２００）は、視覚的な錯覚を生み出すことによって、歪みおよび断片化なしに、第１の画像（２６０）および第３の画像（２５０）のみを明瞭に表示している。言い換えれば、見る人は、この掲示板を左手側から見るときには、視覚的な錯覚の理由で、歪みおよび断片化なしに、馬（名前を含む）の明瞭な画像（２６０）および第３の画像（２５０）のみを見ることができる。
【００４４】
図２における静的ディスプレイ（２００）は、馬およびその名前の第１の画像と、犬およびその名前の第２の画像と、第３の画像とを歪めることによって、形成されている。本発明によれば、第１の画像および第２の画像が、第３の画像を部分的または完全に含むことができる。これに代えて、第３の画像を個別の画像とすることができる。画像を歪めるステップは、画像のタイプと、頂点部から谷部への、または谷部から頂点部への傾斜部の幅と、画像が適合されたときに歪みが無効になるように画像があてはめられる波形部の数とに依存する。次に、これらの画像を断片に分割する。本出願において言及および特許請求されているように、一般的に、各垂直断片の幅は、波形薄板の波形部の谷部と頂点部の間に延びる、波形部の傾斜部の幅に等しいかまたはそれより小さい。次に、垂直帯状片を波形薄板（２２０）上に適合させる、または貼り付ける。犬の画像（２４０）の垂直断片を、波形薄板（２２０）の波形部の右手側の傾斜部に順に貼り付け、馬の画像（２６０）の垂直断片を、波形薄板（２２０）の波形部の左手側の傾斜部に順に貼り付ける。
【００４５】
図３（３Ａ〜３Ｄ）は、本発明に従って波形薄板上に適合された、歪められていない画像と歪められた画像との比較を、一例として示している。
【００４６】
図３Ａは、分割した後に波形薄板（３２０）上に適合される、歪められていない円（３１０）の画像を示しており、図３Ｂは、左側から見たこの画像を示している。図３Ｂに示したように、歪められていない円が歪んで見える。
【００４７】
図３Ｃは、画像を波形薄板上に適合させる前の、本発明に従って歪められている歪んだ円（３３０）の画像を示している。歪められた円（３３０）を、本発明に従って複数の断片に分割し、図３Ｄに示したように波形薄板（３４０）上に貼り付ける。図３Ｄに示した波形薄板（３３０）上の歪められた円（３３０）を、図３Ｄに示したように左手側から鋭角において見ると、視覚的な錯覚の理由で、円の完全な画像が、実質的な歪みおよび断片化なしに見える。この例は、波形薄板に貼り付ける前に行われた画像を歪めるステップは無効になり、歪められている画像を見る人の心には、視覚的な錯覚の理由で実質的な断片化および歪みのない波形薄板上の歪んでいない画像のように、視覚的な錯覚が生じることを証明している。
【００４８】
本発明によれば、本静的ディスプレイは、フォトフレーム、アートのための屋内または屋外ディスプレイ、屋内または屋外の広告ディスプレイ、標識ディスプレイ、または任意の他のディスプレイを含むことができる。本静的ディスプレイは、電子ディスプレイも含み、この場合、電子ディスプレイは波形状にされており、歪められた画像の断片が、本発明に従って電子ディスプレイの波形部において順に表示または点滅され、歪められた画像は、鋭角において見たとき目の錯覚の理由で、実質的に歪んでおらずかつ断片化されていない完全な画像に見える。
【００４９】
本発明の静的ディスプレイは、広告を目的とする場合、道路に平行に立てることができる、または、道路に平行な壁に適合させることができる。ここで言う道路は、あらゆるタイプの歩道および車道（国内道路（internal roads）、高速道路、幹線道路、さらにはモール内の歩道など）を含む。本静的ディスプレイは、見る人に、両側から特定の角度において見える２つの異なる広告または同じ広告を備えていることができる。本発明の静的ディスプレイは、カーブしている道路や歩道に設置して２つの画像を表示することができ、この場合、それぞれ反対方向に向かっている人に１つの画像が見える。
【００５０】
本静的ディスプレイは、家庭、美術館、その他のための額縁またはアート用のディスプレイとすることができる。
【００５１】
本発明によれば、本発明の静的ディスプレイを備えている掲示板は、どちらかの側から鋭角において見る場合に、見る人は本静的ディスプレイを容易に見る、および／または読むことができる。さらに、２つまたは３つの画像を有する本発明の静的ディスプレイは、前側から向かい合って見るときには、２つの画像が互いに重なっているかまたは融合しているため、見る人の心には多大な好奇心、矛盾、混乱が生じ、さらに本静的ディスプレイでは、画像の組み付け（imposition）を使用して鋭角において視覚的な錯覚を生み出し、これにより見る人の興味を引く。視覚的な錯覚は、本発明のディスプレイを鋭角において見たときに波形部の空間が見えないために生み出される。さらに、第３の画像は、たとえ掲示板の正面に立っているときにも明瞭に見ることができる。
【００５２】
本発明の静的ディスプレイは、２つの同じ画像または個別の画像をただ１つのウィンドウディスプレイに表示する能力を有する。このため、２つの異なる画像／情報のための２つの異なるディスプレイ掲示板を掲げるコストにおいて、カバー範囲が最大であり第３の画像も可能である、２つの画像または１つの広告を有するただ１つのディスプレイ掲示板が達成される。さらには、本静的ディスプレイは道路に平行に配置することができ、見る人からディスプレイ上の広告が容易に見えるため、従来要求されるような特定の場所への配置や優良なスポットは必要ない。
【００５３】
さらに、限られたウィンドウディスプレイ空間を、より良好に利用する、または２倍に利用することができる。本発明の静的ディスプレイは、利用者の希望および要件に従って、任意の材料から、任意のサイズの波形形状の上に作製することができる。
【００５４】
上の説明において、たとえ本発明の多数の特徴および利点が本発明の構造および機能の細部とともに記載されていても、本開示は説明を目的としているにすぎないことを理解されたい。細部、特に、部品の形状、サイズ、および配置に関して、本発明の原理の範囲内で変更を行うことができる。さらに、第１、第２、右側、左側、右手側、左手側、水平方向、垂直方向などは、説明の中で理解を目的として言及されており、本発明を制限するものではない。水平方向は縦方向とすることができ、垂直方向は横方向とすることができる。さらに、図において使用されている／示されている馬、犬、名前、円などの画像は、本発明の説明および理解を目的としているにすぎず、本出願において特許請求される効果を制限するものではない。さらに、本明細書に記載されている静的ディスプレイおよび方法には、本開示の範囲から逸脱しない範囲で、修正、追加、または省略を行うことができる。例えば、静的ディスプレイの構成要素を統合する、または分けることができる。さらに、説明されている方法は、より多くのステップ、より少ないステップ、または別のステップを含むことができる。これに加えて、ステップは、任意の適切な順序で実行することができ、例えば第２の態様として説明した方法において、波形薄板を設けるステップと、少なくとも２つの画像を選択するステップは、独立したステップであり、本出願において特許請求されている順序で行う必要はなく、すなわちステップは、任意の適切な順序で行うことができる。本文書において使用されているとき、「各」は、セットの各メンバーまたはセットのサブセットの各メンバーを意味する。
【００５５】
ここまで本発明の好ましい実施形態を図示および説明してきたが、実施形態には、添付の請求項の範囲を超えない変更を行ってよいことが、当業者には容易に理解されるであろう。したがって本発明の範囲は、請求項によって制限されるのみである。
【図１】
2020528579.tif 000003
【図２】
2020528579.tif 000004
【図３】
2020528579.tif 000005
【国際調査報告】
2020528579.tif 000006
2020528579.tif 000007